(57)【要約】      （修正有）【課題】押圧方式により水孔を密閉できる構造の水制御弁を提供する。【解決手段】ジャケット体１０、頂座３０および制御弁ユニット２０を備える水制御弁を開示し、制御弁ユニット２０はジャケット体１０の流孔３２１と頂座の水孔３１１の間に設けられ、この水制御弁は水道管の吐水端に設けることができ、制御弁ユニット２０を下から上に突き上げたときに、制御弁ユニットは上から下へと蓋体の流孔と頂座の水孔を順に密閉し、したがって水流が吐水端から流出しなくなる。逆に制御弁ユニット２０が押されて、上から下に移動したときは、蓋体の流孔と頂座の水孔が開状態になり、したがって水は吐水端から流れ出るようになり、流水停止時に生じる正負の圧力波を低減でき、それによって管の振動および耳障りな騒音の発生が回避される。【選択図】図１
0003149481.tif 000002
【実用新案登録請求の範囲】
【請求項１】
水制御弁であって、
開口を有するジャケット体と、
ジャケット体の上端部に設置され、その上端に受穴が、受穴の下端に水孔が形成されている頂座と、
弁座、押し棒、および突上げ金を有する制御弁ユニットとを備え、
弁座が、ジャケット体の開口内に設置され、弁座の中央に貫通孔が設けられ、貫通孔の内周壁に斜めガイド縁が形成され、斜めガイド縁の間にガイド溝が形成されており、
押し棒が、弁座の貫通孔に設置され、押し棒の上端端部に受穴が形成され、押し棒の上端に斜めガイド縁が形成され、同じ上端の周壁に突き出したガイドブロックが形成されており、
突上げ金には穿孔が形成され、突上げ金の下端に互いに間隔をおいて複数個の突き出した突上げ部片が形成され、突上げ部片と押し棒の斜めガイド縁が互いにはまり合うようになっていることを特徴とする、水制御弁。
【請求項２】
前記弁座中央の下側に延びる円柱体があり、弁座の貫通孔が円柱体に形成されていることを特徴とする、請求項１に記載の水制御弁。
【請求項３】
弁座の斜めガイド縁および押し棒の上端の斜めガイド縁が鋸歯状であることを特徴とする、請求項２に記載の水制御弁。
【請求項４】
頂座の受穴内に蓋体が設けられていることを特徴とする、請求項３に記載の水制御弁。
【請求項５】
制御弁ユニットがさらに、連結棒と押し金を有し、
連結棒は、その一端が突上げ金の穿孔を通り抜けて、押し棒の受穴内まで延び、
押し金には連結棒の連結端が通り抜けられる孔が形成され、押し金の底縁が突上げ金の頂縁と互いに押し合うようになっていることを特徴とする、請求項４に記載の水制御弁。
【請求項６】
蓋体に流孔が形成されていることを特徴とする、請求項５に記載の水制御弁。
【請求項７】
連結棒の上端に密閉端部が連接されていることを特徴とする、請求項６に記載の水制御弁。
【請求項８】
連結棒の上端に連結孔が設けられ、密閉端部の下端に突き出した固定棒が形成され、固定棒が連結棒の連結孔と互いに固定されていることを特徴とする、請求項７に記載の水制御弁。
【請求項９】
弁座の上端の貫通孔と隣接する周辺に互いに間隔をおいて多数個の水孔が形成されていることを特徴とする、請求項８に記載の水制御弁。
【請求項１０】
密閉端部と連結棒の連結端との間に弁体が設けられていることを特徴とする、請求項９に記載の水制御弁。
【請求項１１】
ジャケット体の穿孔の内周壁に突き出した内フランジが形成され、弁座の周縁は、ジャケット体の内フランジと互いに嵌合しあうことを特徴とする、請求項１０に記載の水制御弁。
【請求項１２】
ジャケット体の開口の下端に底蓋が設けられ、底蓋の中央に棒孔が形成され、押し棒が底蓋の棒孔を通って外に延びていることを特徴とする、請求項１１に記載の水制御弁。
【請求項１３】
底蓋の棒孔と隣接する周囲に互いに間隔をおいて多数個の吐水孔が形成されていることを特徴とする、請求項１２に記載の水制御弁。
【請求項１４】
弁座の下端と底蓋との間にスクリーンが設けられていることを特徴とする、請求項１３に記載の水制御弁。
【考案の詳細な説明】
【技術分野】
【０００１】
本考案は、水制御弁、特に押圧方式により水弁を密閉できる構造に関する。
【背景技術】
【０００２】
現在市販されている各種水制御スイッチのうち、赤外線感応水弁が最も代表的であり、人が洗浄動作を行うときに手をある適切な位置にかざす必要があり、そうすると赤外線の感応によって水弁が開いて、蛇口が給水動作を行うというものであるが、このような水弁にもやはり欠点がある。このような水弁は給水時間が限定されており、この時間内では、しばしば人が洗浄動作を完了できずに、再度感応させる動作を行わなければならない。また、赤外線の感応は感度が非常に良いわけではないので、赤外線に感応させるには、手を特定の感応区域内にかざさなければならない。前記不都合を解決するために、現在の水制御弁が生まれた。
【０００３】
現在の水制御弁は、図６および図７に示すように、外筒５０、制御弁ユニット６０および位置決め部材７０を備えている。
【０００４】
外筒５０の上端端部に階段状の上部空洞５１が形成され、上部空洞５１の下端に貫通孔５２が形成され、外筒５０の下端端部に階段状の下部空洞５３が形成され、上部空洞５１と下部空洞５３は貫通孔５２を介して連通状態となっている。
【０００５】
制御弁ユニット６０は、弁棒６１、弁座６２、押し棒６３、および突上げ棒６４を有する。
【０００６】
弁棒６１は、円錐形の密閉端部６１１を有し、密閉端部６１１は上部空洞５１内に設置され、密閉端部６１１の下端に延長棒６１２が連結され、延長棒６１２は貫通孔５２を通って下部空洞５３内まで延び、延長棒６１２の周壁に互いに間隔をおいて突き出した側翼６１３が形成されている。
【０００７】
弁座６２は、下部空洞５３内に設置され、弁座６２の周縁と下部空洞５３の内縁は互いにはまり合うようになっており、弁座６２に延長棒６１２が通り抜けられる穿孔６２１が形成され、穿孔６２１の内側壁に鋸歯状の斜めガイド縁６２２が形成され、２つの斜めガイド縁６２２の間にガイド溝６２３が形成され、さらに弁座６２の穿孔６２１と隣接する位置に間隔をおいて多数個の流孔６２４が形成されている。
【０００８】
押し棒６３には、延長棒６１２が通り抜けられる受穴６３１が形成され、押し棒６３の上端の周壁に互いに間隔をおいて突き出した多数個の押し部片６３２が形成されている。
【０００９】
突上げ棒６４は、その上端に押し棒６３の下端を収容できる押し棒受穴６４１が形成され、突上げ棒６４の上端端部に鋸歯状の斜めガイド縁６４２が形成され、この上端の周壁にガイド溝６２３内で滑動可能な突き出したガイドブロック６４３が多数個形成され、突上げ棒６４の下端が弁座６２の穿孔６２１を通って外に延びている。
【００１０】
位置決め部材７０は、下部空洞５３に固定され、位置決め部材７０には弁座６２の下端と互いにはまり合う固定孔７１が形成されており、したがって、この制御弁ユニット６０は外筒５０内に設置され、位置決め部材７０の固定孔７１と隣接する位置に互いに間隔をおいて多数個の水孔７２が形成されている。
【００１１】
実際に使用するときには、現在の水制御弁を蛇口に連結すると、蛇口から水を出したいときに突上げ棒６４の下端を押せば、その上端の斜めガイド縁６４２が押し棒６３の押し部片６３２と互いにはまり合って、押し棒６３を押し、押し部片６３２の上端はさらに延長棒６１２の側翼６１３の下端と互いに押し合い、それによって密閉端部６１１が貫通孔５２から離され、貫通孔５２を密閉しなくなる。そのため、水は貫通孔５２を沿って下部空洞５３内に流れ込み、さらに流孔６２４と水孔７２の順に流れて外筒５０の外部に達する。このようにして人々は洗浄動作ができるようになる。
【００１２】
洗浄動作が完了したら、もう一度突上げ棒６４を押して、ガイドブロック６４３をガイド溝６２３内に入らせ、ガイド溝６２３の下端と互いに突き当たるようにするだけで、前記のようなそれぞれがはまっている動きがなくなるので、密閉端部６１１の上端が水圧に押されて瞬時に閉じて、貫通孔５２を密閉し、そのために水が流れられなくなる。
【００１３】
上記のように、流水時間が簡単な機械的動作で制御可能であるが、水制御弁を閉じたとき、管路中の水がまだ流動して前に押しているため、水制御弁が瞬時に閉じたときウォーターハンマー現象が生じ、流水の動的エネルギーが弾性エネルギーに変わり、一連の正負の圧力波が生まれ、エネルギーが摩擦に妨げられて止まるまで、管路内で往復振動を起こし、かつ本管を振動させて耳障りな騒音を出す。
【考案の開示】
【考案が解決しようとする課題】
【００１４】
前記の現在技術における不都合な点に鑑みて、本考案は水制御弁を設計し、上端を押し付けて水弁を密閉できる構造設計を提供する。
【課題を解決するための手段】
【００１５】
上記考案の目的を実現するために、本考案が採用する技術手段では、ジャケット体と頂座と制御弁ユニットとを備える水制御弁であって、
開口を有するジャケット体と、
ジャケット体の上端に設置され、その上端に受穴が、受穴の下端に水孔が形成されている頂座と、
弁座、押し棒、および突上げ金を有する制御弁ユニットとを備え、
弁座が、ジャケット体の開口内に設置され、弁座の中央に貫通孔が設けられ、貫通孔の内周壁に斜めガイド縁が形成され、斜めガイド縁の間にガイド溝が形成されており、
押し棒が、弁座の貫通孔に設置され、押し棒の上端端部に受穴が形成され、押し棒の上端に斜めガイド縁が形成され、同じ上端の周壁に突き出したガイドブロックが形成されており、
突上げ金には穿孔が形成され、突上げ金の下端に互いに間隔をおいて複数個の突き出した突上げ部片が形成され、突上げ部片と押し棒の斜めガイド縁が互いにはまり合うようになっている、
水制御弁を設計した。
【００１６】
この水制御弁は、水道管の吐水端に設けることができ、制御弁ユニットを下から上に突き上げたとき、制御弁ユニットが上から下へと蓋体の流孔と頂座の水孔を順に密閉し、したがって水流が吐水端から流出しなくなる。逆に制御弁ユニットが押されて、上から下に移動したときは、蓋体の流孔と頂座の水孔が開状態になり、水は吐水端から流れ出るようになる。
【００１７】
前記の動作により、吐水端を密閉したときは、水制御弁は漸進式閉弁を使用し、さらに二段式閉弁方式を利用するため、流水停止時に生じる正負の圧力波を低減でき、それによって本管の振動および耳障りな騒音の発生が回避される。
【考案を実施するための最良の形態】
【００１８】
本考案は水制御弁であり、図１に示すように、ジャケット体１０と、制御弁ユニット２０と、頂座３０とを備えている。
【００１９】
ジャケット体１０の最上端部に開口１１があり、開口１１の内周壁に内フランジ１１１が形成され、ジャケット体１０の下端に底蓋１２が設けてあり、底蓋１２の中央に棒孔１２１が形成され、底蓋１２の棒孔１２１と隣接する周囲に互いに間隔をおいて多数個の吐水孔１２２が形成されている。
【００２０】
制御弁ユニット２０は、弁座２１、押し棒２２、突上げ金２３、連結棒２４、押し金２５、弁体２６、および密閉端部２７を備えている。
【００２１】
弁座２１は、ジャケット体１０の開口１１内に設置され、弁座２１の周縁がジャケット体１０の内フランジ１１１と互いにはまり合い、弁座２１中央の下方に円柱体２１５が延びており、この円柱体２１５に貫通孔２１１が形成され、貫通孔２１１の内周壁に鋸歯状の多数個の斜めガイド縁２１２が形成され、斜めガイド縁２１２の間にガイド溝２１３が形成され、弁座２１の上端の貫通孔２１１と隣接する周辺に互いに間隔をおいて多数個の水孔２１４が形成されている。
【００２２】
押し棒２２は、弁座２１の貫通孔２１１内に設置され、底蓋１２の棒孔１２１を通って外に延び、押し棒２２の上端端部に受穴２２１が形成され、押し棒２２の上端に鋸歯状の斜めガイド縁２２２が形成され、同じ上端の周壁に突き出したガイドブロック２２３が形成され、ガイドブロック２２３は弁座２１の斜めガイド縁２１２またはガイド溝２１３の下端と互いにはまり合うようになっている。
【００２３】
突上げ金２３の中央に穿孔２３１が形成され、突上げ金２３の下端に互いに間隔をおいて多数個の突き出した突上げ部片２３２が形成され、突上げ部片２３２と押し棒２２の斜めガイド縁２２２は互いにはまり合うようになっている。
【００２４】
連結棒２４の一端が突上げ金２３の穿孔２３１を通り抜けて、押し棒２２の受穴２２１内まで延び、連結棒２４の上端に連結端２４１が設けられている。
【００２５】
押し金２５には、連結棒２４の連結端が通り抜けられる孔２５１が形成され、押し金２５の底縁は突上げ金２３の上縁と互いに押し合うようになっている。
【００２６】
弁体２６には孔２６１が形成されている。
【００２７】
密閉端部２７の下端に突き出した固定棒２７１が形成され、固定棒２７１は弁体２６の孔２６１を通り抜け、連結棒２４の連結孔２４１と互いに固定されている。そのため、弁体２６が密閉端部２７と連結棒２４の間に挟んで固定され、密閉端部２７の上端は円錐形である。
【００２８】
頂座３０はジャケット体１０の上端に設置され、頂座３０の上端に受穴３１が形成され、受穴３１の下端に押し金２５で密閉される水孔３１１が設けてあり、受穴３１内に蓋体３２が設けられ、蓋体３２の中央に密閉端部２７で密閉される流孔３２１が設けてあり、また蓋体３２の上端に円錐形のスクリーン蓋３３が設けられている。
【００２９】
図２に示すように、ジャケット体１０を水道管４０の吐水端と互いに結合することができ、実際に使用するときは、図３に示すように、水流は順にスクリーン蓋３３、蓋体３２の流孔３２１、頂座３０の水孔３１１および弁座２１の水孔２１１を経由し、底蓋１２の吐水孔１２２から流れ出る。また弁座２１の下端と底蓋１２の間にスクリーン（図示せず）を設けてもよい。スクリーン蓋３３とスクリーンの二重の濾過により、流れ出る水の水質が一層よいものになる。
【００３０】
図３に示すように、水流が通じているときに閉じたいときは、押し棒２２を上に押すとよい。このとき押し棒２２はまず連結棒２４の尾端にぶつかり、それによって密閉端部２７が押し上げられて、蓋体３２上の流孔３２１を閉じる。これが第一段の閉弁である。また、押し棒２２のガイドブロック２２３はガイド溝２１３に沿って移動し、この移動の過程で押し棒２２の斜めガイド面２２２が突上げ金２３の突上げ部片２３２と互いにはまり合うようになり、突上げ金２３が押し棒２２に押される。
【００３１】
押された突上げ金２３は順に押し金２５と密閉端部２７を押し動かし、押し棒２２が一定位置まで押し進められると、そのガイドブロック２２３の下端が弁座２１の斜めガイド縁２１２と互いにはまり合うようになる。このようにして密閉端部２７と押し金２５はそれぞれ蓋体３２の流孔３２１と頂座３０の水孔３１１を閉じる。しかし弁体３６が、頂座３０の水孔３１１が完全閉状態（閉じた後の状態は図４、図５を参照）となるのを確保するために用いられ、したがって漏水現象が回避できる。
【００３２】
さらに図４および図５に示すように、水を流出させたいときは、再度押し棒２２を押すとよい。押し棒２２のガイドブロック２２３は斜めガイド面２２２に沿って移動し、ガイド溝２１３に入り、さらにガイド溝２１３の下端と互いにはまり合うようになり、前記閉状態が存在しなくなる。そのため水流はもう一度底蓋１２の吐水孔１２２から流れ出ることができる（連通状態については図３を参照）。
【００３３】
このように水道管４０の吐水端を密閉したときは、水制御弁は漸進式閉弁を使用し、さらに二段式閉弁方式を利用するため、流水停止時に生じる正負の圧力波を低減でき、それによって管の振動および耳障りな騒音の発生が回避される。
【図面の簡単な説明】
【００３４】
【図１】本考案の立体分解図である。
【図２】本考案を蛇口に結合した参考説明図である。
【図３】本考案の断面図である。
【図４】本考案の別の断面図である。
【図５】本考案のさらに別の断面図である。
【図６】現在の水制御弁の断面図である。
【図７】現在の水制御弁の立体分解図である。
【符号の説明】
【００３５】
１０    ジャケット体
１１    開口
１１１  内フランジ
１２    底蓋
１２１  棒孔
１２２  吐水孔
２０    制御弁ユニット
２１    弁座
２１１  貫通孔
２１２  斜めガイド縁
２１３  ガイド溝
２１４  水孔
２１５  円柱体
２２    押し棒
２２１  受穴
２２２  斜めガイド縁
２２３  ガイドブロック
２３    突上げ金
２３１  穿孔
２３２  突上げ部片
２４    連結棒
２４１  連結孔
２５    押し金
２５１  孔
２６    弁体
２６１  孔
２７    密閉端部
２７１  固定棒
３０    頂座
３１    受穴
３１１  水孔
３２    蓋体
３２１  流孔
３３    スクリーン蓋
４０    蛇口
５０    外筒
５１    上部空洞
５２    貫通孔
５３    下部空洞
６０    制御弁ユニット
６１    弁棒
６１１  密閉端部
６１２  延長棒
６１３  側翼
６２    弁座
６２１  延長端
６２２  斜めガイド縁
６２３  ガイド溝
６２４  流孔
６３    押し棒
６３１  受穴
６３２  押し部片
６４    突上げ棒
６４１  押し棒受穴
６４２  斜めガイド縁
６４３  ガイドブロック
７０    位置決め部材
７１    固定孔
７２    水孔
【図１】
0003149481.tif 000003
【図２】
0003149481.tif 000004
【図３】
0003149481.tif 000005
【図４】
0003149481.tif 000006
【図５】
0003149481.tif 000007
【図６】
0003149481.tif 000008
【図７】
0003149481.tif 000009